(57)【特許請求の範囲】
【請求項１】
ハンディタイプの電動モータの駆動軸先端に丸軸状の研削具が取り付けられたソーチェーンの目立て機において、
目立て機本体の電動モータ前端部から前方に向けて、装着部を介して、ソーチェーンの左右何れかのカッター刃の目立て角に合わせてソーチェーンの上部に沿わせて嵌め合わせる、平面視Ｘ形状を有する２方向の上板面と壁面とが形成されたガイド体が装着されており、
このガイド体の略中央面には、研削具と目立てをするカッター刃の少なくとも刃先とを上方から可視できる開口又は湾曲部或いはこれら双方よりなる露見部が形成され、
この露見部の内側又は側方には、目立てをするカッター刃を上から押えて、カッター刃のブレや傾きを防ぐとともに正確な刃先角を決める案内部が設けられていることを特徴とするチェーンソーの目立て機。
【発明の詳細な説明】
【技術分野】
【０００１】
本発明は、電動モータの先端に取り付けた丸軸状の研削具を回転させてその側部でチェーンソーに設けられているソーチェーンのカッター刃の刃先を研削することにより目立てを行なうチェーンソーの目立て機であり、特に、左右いずれかのカッター刃に対応した向きにしてソーチェーンの上から嵌め込んで前方に押しつけるという簡単な操作だけで、正確な目立て角と刃先角に合わせた目立てが、容易且つ短時間で行なえるチェーンソーの目立て機に関する。
【背景技術】
【０００２】
従来から、チェーンソーには、エンドレス状を有するソーチェーンが取り付けられており、このソーチェーンには、一定間隔ごとに左向きのカッター刃と右向きのカッター刃が対向方向に設けられており、これらの刃の上刃は、例えば、３０°後方に傾斜した目立て角を有しており、この上刃の刃先は、例えば、６０°の刃先角を有している。
【０００３】
ところで、これら目立て角と刃先角は木などを切るために必要なものであり、刃先が欠けたり、磨耗すると切れ味が悪くなる。このようになると、木の切断に余分な時間を要し、作業者に余分な負担を与え、また、木の切断開始時にソーチェーンの食い付きが悪くなってキックバック（跳ね返り）という危険な事態を招くことがある。
【０００４】
このため、刃先が鋭利になるように研削する必要がある。以下の説明において、目立ては、目立て角と刃先角に合わせた刃先の研削をいう。
【０００５】
従来では、この目立てをするときに、丸軸のヤスリなどを用いて手作業で行なわれていたが、手作業による目立ては作業効率が悪く、特に、ヤスリを正確な目立て角や刃先角に合わせるためには熟練を要し、目立て角や刃先角が正確でないと、太い木を切断するときに、真っ直ぐに切れなかったり、切れ味が悪くなったりする。ヤスリを正確な目立て角や刃先角に合わせて保持させる技術としては、例えば、日本特公昭４４−２９０３０号公報（特許文献１）に記載のチェーンソーの目立て処理方法が公知であるが、この目立て処理方法は、ヤスリを保持するホルダを、蝶ねじを利用して鋸板に固定するという方法が取られており、このため、各カッター刃の目立てをする度に、蝶ねじを緩めたり締結するという面倒な作業が必要であった。
【０００６】
ところで、最近では、手作業による目立てに代わり、ハンディタイプの電動モータを備えた目立て機を利用することが多くなっている。
【０００７】
この種の目立て機は、例えば、日本実開昭６１−２４１２１号公報（特許文献２）に記載のチェーンソー用上刃研削装置、日本実開昭５７−１８６２２７号公報（特許文献３）に記載の研削具のいらないチェーンソーの目立て機などが公知である。
【発明の開示】
【０００８】
しかしながら、特許文献２に記載の研削装置、及び特許文献３に記載の目立て機は、ホルダやモートルを手で持って、当板や角度調整板をソーチェーン上に置いて使用するものであるが、当板や角度調整板をソーチェーン上に置くだけでは、研削装置や目立て機の姿勢を安定させるには不十分で、目立て作業中に手元がブレ易く、正確な目立て角や刃先角に合わせて目立て作業をし続けるのは、容易でないことが判る。また、正しい目立て角や刃先角に合わせようとすると、次第に手が疲れて、仕上がりの悪い目立てになり易い。
【０００９】
このため、本発明者は、作業効率が高く、目立て角と刃先角の向きと位置合わせが簡単且つ正確にでき、目立て作業中にカッター刃のブレや傾きなどの目立てができる、理想的な目立て機の構造について鋭意・検討を試みた。
【００１０】
本発明は、電動モータで高速回転させた研削具（丸軸のヤスリ）を刃先に接触させて、高効率で目立てができるようにすることは勿論のこと、ガイド体をソーチェーンの左右のカッター刃の目立て角に対応した向きでソーチェーンに嵌め込んで、下方に向けた壁面を前方に押しつけるという、殆どワンタッチに近い操作だけで、正確な目立て角と刃先角が得られ、しかも、目立てするカッター刃のブレや傾きなども防ぐことができる目立て機を提供することを目的とする。
【００１１】
上記目的を達成するために本発明は、ハンディタイプの電動モータの駆動軸先端に丸軸状の研削具が取り付けられたチェーンソーの目立て機において、目立て機本体の電動モータ前端部から前方に向けて、装着部を介して、ソーチェーンの左右何れかのカッター刃の目立て角に合わせてソーチェーンの上部に沿わせて嵌め合わせる、平面視Ｘ形状を有する２方向の上板面と壁面とからなるガイド体が装着されており、このガイド体の略中央面に、研削具と目立てをするカッター刃の刃先とを上方から可視するための開口よりなる露見部が形成され、この露見部の内側又は側方には、目立てをするカッター刃を上から押えて、カッター刃のブレや傾きを防ぐとともに正確な刃先角を決める案内部が設けられていることを特徴とする。
【００１２】
本発明の目立て機を用いた目立て作業では、ガイド体の上板面をソーチェーンの上部に置き、手前側の壁面をチェーンソーのガイドバー（鋸板）に押し付けた状態で、高速回転する研削具の側面をカッター刃の刃先に接触させて研削する。ソーチェーンには、左右交互に向けたカッター刃が一定間隔毎に設けられているために、左右のカッター刃の目立てに応じて研削具の向きを変える必要がある。本発明の目立て機では研削具の向きの違いに対応させて、ガイド体は、平面視、Ｘ形状を有しており、このＸ形状が有する２方向のいずれかの方向に合わせてガイド体をソーチェーンの上から嵌め込んで、前方に押し付けると、正確な目立角と切削角が得られる。
【００１３】
即ち、ガイド体をソーチェーンの上から嵌め込んで載せるだけでは、ソーチェーンの左右の幅よりもガイド体の前後の幅に余裕を持たせて、ガイド体をソーチェーンの上から嵌め込み易くしてあるために、切削具が正確な目立て角に向くとは限らない。そこで、ガイド体の平面視Ｘ形状が有する２方向を、研削具を目立て角に合わせる方向に設定して、ガイド体を左右のカッター刃の向きに合わせてＸ形状のいずれかの方向に向けてソーチェーンの上から嵌め込んで、前方に押し付けると、正確な目立て角と刃先角が得られるようにした。このため、ガイド体の平面視Ｘ形状に対応した手前側の縁には、チェーンソーのガイドバー（鋸板）に押し付けて、正確な目立て角に合わせるための下方に向けた壁面が形成されており、この壁面を前方に押し付けると、ガイド体はブレない。
【００１４】
ところで、チェーンソーの多くの種類は、ソーチェーンは中央部分が若干上下方向に脹らんだ形状を有している。このため、ガイド体の上面の略中央箇所に、目立てするカッター刃と研削具とが上方から見える開口又は湾曲部からなる露見部が形成されていると、高速回転する研磨具に接触することによるカッター刃のブレや傾きを防ぐことができないが、本発明の目立て機のガイド体には、露見部の内側又は側方に、目立てをするカッター刃を上から押さえる案内部を設けて、カッター刃のブレや傾きを防ぐようにした。
【００１５】
また、この案内部は、目立てをするカッター刃を上から押えて、カッター刃の刃先角に合わせた研磨ができるようにするという大きな役割も有している。即ち、正確な刃先角が得られるように、案内部と研削具の位置関係が決められているのである。更に、この案内部は、目立て作業をするときに発生する金属粉や火花から作業者の顔を守る役割も有している。
【００１６】
本発明の目立て機は、以上のような構成を有しているため、目立てをするカッター刃の中心位置に合わせて、ソーチェーンの上から嵌め込んで、前方に押しつけるだけで、正確な目立て角と刃先角に合わせることができる。このため、目立てに経験がない人でも、正確な目立てが容易に短時間で行なえる。この目立て機は、電動モータは家庭用１００Ｖ交流電源を利用するもの又は二次電池を利用するものが用いられ、好ましい研削具としては、丸軸の後部を残した外周面にダイヤモンド粒子を固定させた、ダイヤモンド砥石が挙げられる。
【００１７】
本発明によるチェーンソーの目立て機によれば、ハンディタイプの電動モータを利用した高効率な目立てができる。特に、ガイド体が、ソーチェーンの左右の刃先の目立て角に合わせて嵌め合わせることができる平面視Ｘ形状を有しているため、目立てをするカッター刃の向きに合わせた方向に合わせて、ガイド体をソーチェーンの上に嵌め込んで、チェーンソーのガイドバーに押し付けるという、殆どワンタッチに近い操作だけで、正確な目立て角が得られる。
【００１８】
また、ガイド体の上板面に、目立てをするカッター刃を上から押えて正確な刃先角を決める案内部を設けた結果、高速回転する研削具を、目立てをするカッター刃に接触させても、カッター刃のブレや傾きを防ぐことができ、正確な刃先角に合わせた目立てができるようになった。以上の結果、目立ての経験の無い人や女性でも、正確な目立てが短時間で行なえ、切れが悪くなったチェーンソーを、我慢して使用し続ける必要も無くなった。
【図面の簡単な説明】
【００１９】
【図１】Ｆｉｇ．１は、本発明の実施例によるチェーンソーの目立て機を示した斜視図である。
【図２】Ｆｉｇ．２は、目立て機を斜め下方から見た斜視図である。
【図３】Ｆｉｇ．３は、目立て機の主要部を示した平面図である。
【図４】Ｆｉｇ．４は、その背面図である。
【図５】Ｆｉｇ．５は、その右側面図である。
【図６】Ｆｉｇ．６は、その右側から見た側面断面図である。
【図７】Ｆｉｇ．７Ａは、ソーチェーンの左側（目立て作業者側から見ると手前側）に位置するカッター刃を目立てする状態を示した平面図であり、Ｆｉｇ．７Ｂは、同じくその一部の拡大図である。
【図８】Ｆｉｇ．８は、左側のカッター刃の刃先を目立てする状態を示した側面断面図である。
【図９】Ｆｉｇ．９は、同じく研削具と案内部とにより刃先角が決められた状態を示した正面断面図である。
【図１０】Ｆｉｇ．１０Ａは、ソーチェーンの右側のカッター刃を目立てする状態を示した平面図であり、Ｆｉｇ．１０Ｂは、その一部の拡大図である。
【図１１】Ｆｉｇ．１１は、右側のカッター刃の刃先を目立てする状態を示した側面断面図である。
【図１２】Ｆｉｇ．１２は、研削具と案内部とにより刃先角が決められた状態を示した正面断面図である。
【発明を実施するための最良の形態】
【００２０】
本発明を実施するための最良の形態について、以下、図面を参照して説明する。Ｆｉｇ．１乃至Ｆｉｇ．６は、本発明の実施例におけるチェーンソーの目立て機を示している。これら各図に示すように、本発明の実施例によるチェーンソーの目立て機１は、電動モータ３の駆動軸先端部に丸軸形状の研削具７が装着された目立て機本体２からその前方に向けてガイド体８が着脱可能に装着されたもので構成されている。
【００２１】
電動モータ３は、外部から取り入れた交流電源又直流電源又は２次電池で駆動するハンディタイプのものであり、Ｆｉｇ．１及びＦｉｇ．２では、家庭用電源で駆動する電動モータ３を示している。この電動モータ３は、本体ケースに、スライド操作して電源のＯＮ／ＯＦＦを行なう電源スイッチ４と、駆動軸の回転にブレーキを掛けるブレーキボタン５が設けられており、後端は、外部から電源を取り入れるための電源コード１０の延出させたものが用いられている。
【００２２】
この電動モータ３の本体ケースの前部は、絞られた形状を有しており、更にその前端部が、ガイド体８を装着するための、外周面にねじ溝が刻設された筒形状の装着部３ａにて形成されている。そして、この電動モータ３の駆動軸先端部に装着されているチャック６を利用して、丸軸にダイヤモンド砥石を固定させた研削具７が装着されて、目立て機本体２が構成されている。
【００２３】
Ｆｉｇ．１乃至Ｆｉｇ．６に示すように、ガイド体８は、平面視、略Ｘ形状を有する上板面８０を有し、この上板面８０の中央後部に形成されている、左右から斜め下方に傾斜した取付板部８８ａ，８８ｂに、大きなナットで形成されている装着部９が、ビス１１，１１を利用して装着されており、この装着部９を電動モータ２前端の装着部に螺装させて、電動モータ本体２とガイド体８とが一体的に組み付けられている。
【００２４】
また、ガイド体８の上板面８０を構成している各分岐面８０ａ，８０ｂ，８０ｃ，８０ｄは、それぞれソーチェーン８の幅よりも幾分か幅広く形成されており、例えば、本発明者による試作品のガイド体８によれば、各分岐面８０ａ，８０ｂ，８０ｃ，８０ｄの幅は、約１６ｍｍである。
【００２５】
そして、斜め前方に向けた２つの分岐面８０ａ，８０ｂの前端縁に沿った箇所には、下方に向けて折曲したリブ８２が形成されており、このリブ８２の高さは、例えば、本発明者による試作品のガイド体８によれば、約９ｍｍである。
【００２６】
また、電動モータ３側から見て、斜め右前方と斜め右後方に向けた分岐面８０ｂ，８０ｃの右側縁に沿った箇所には、下方に向けて折曲したリブ８３ｂが形成され、同様に、斜め左前方と斜め左後方に向けた分岐面８０ａ，８０ｄの左側縁に沿った箇所にも、下方に向けて折曲したリブ８３ａが形成されており、これらのリブ８３ｂ，８３ａの高さは、例えば、本発明者による試作品のガイド体８によれば、約５ｍｍである。これらのリブ８２，８３ｂ，８３ａとともに、上板面の前端縁と左右の側縁は、円弧形状になっている。
【００２７】
そして、前記リブ８３ａ，８３ｂの前端面と、斜め前方に向けた左右の分岐面８０ｂ，８０ａの後方に向けられた左右の分岐面８０ｄ，８０ｃの後端縁には、チェーンソーのガイドバー（鋸板）に押し付けるための壁面となる、下方に向けた押え板面８１ａ，８１ｂ，８１ｄ，８１ｃが形成されており、これら押え板面８１ａ，８１ｂ，８１ｄ，８１ｃは、下方に向けた途中部分が、各分岐面８０ａ，８０ｂ，８０ｃ，８０ｄの幅３分の２程度、前方に向けられて、更に、下方に向けられている。これら押え板面８１ａ，８１ｂ，８１ｄ，８１ｃの高さは、本発明者による試作品のガイド体８によれば、約２７ｍｍである。
【００２８】
上板面の左右方向の中央には、目立て作業者が目立てをするときに、研削具７とカッター刃（図示せず）の刃先を見ることができる大きさの開口８５よりなる露見部が形成されており、更にこの開口８５に近接した右側方にも、開口８６よりなる露見部が形成されている。そして、双方の開口８５，８６の間に位置する前後方向に向けた幅狭い上板面分が、目立てをするカッター刃を上から押えて、高速回転研削具７がカッター刃に接触することによる、カッター刃のブレや傾きを防ぐとともに、正確な刃先角を決める案内部８７が形成されている。また、この案内部８７は、研削具７の側縁をカッター刃の刃先に合わせるための目印にもなり、また、研削により発生する金属粉及び火花が上方に飛散するのを防ぐ役割も有している。
【００２９】
次に、本発明の実施例によるチェーンソーの目立て機１の使用方法についてＦｉｇ．７乃至Ｆｉｇ．１２を参照して説明する。
【００３０】
ソーチェーンの左側（目立て作業者側から見ると手前側）に位置するカッター刃３１を目立てするときには、Ｆｉｇ．７Ａ，Ｆｉｇ．７Ｂ及びＦｉｇ．８に示すように、ガイド体８のＡ−Ａ方向とソーチェーン３０の向きに揃え、上板面８の中央に形成されている開口８５，８６の上方から、嵌め込んでソーチェーン３０上に置く。
【００３１】
そして、左側のカッター刃３１の上刃３１ａの刃先３１ｂと研削具７の位置合わせを行なった後、目立て機１全体を前方に押す。このようにすると、研削具７の水平姿勢が確保されるとともに、目立て角が正確に決められる。また、Ｆｉｇ．９に示すように、目立てをするカッター刃３１の上刃３１ａが案内部８７で上から押さえられるため、高速回転する研削具７をカッター刃３１に接触させても、カッター刃３１はブレたり傾いたりしない。
【００３２】
このように、案内部８７と研削具７とによる位置関係によって、刃先３１ｂに沿った正確な刃先角が正確に決められ、この状態で、左側のカッター刃３１の目立てが行なわれる。
【００３３】
これに対して、ソーチェーンの右側（目立て作業者側から見ると前方側）に位置するカッター刃３２を目立てするときには、Ｆｉｇ．１０Ａ，Ｆｉｇ．１０Ｂ及びＦｉｇ．１１に示すように、ガイド体８のＢ−Ｂ方向とソーチェーン３０の向きに揃えて、ガイド体８の上板面８０の分岐面８０ｄ，８０ｂをソーチェーン３０の上方から、嵌め込んでソーチェーン３０上に置く。
【００３４】
そして、右側のカッター刃３２の上刃３２ａの刃先３２ｂと研削具７の位置合わせを行なった後、目立て機１全体を前方に押す。このようにすると、研削具７の水平姿勢が確保されるとともに、目立て角が正確に決められる。また、Ｆｉｇ．１２に示すように、目立てをするカッター刃３２の上刃３２ａが案内部８７で上から押さえられるため、高速回転する研削具７をカッター刃３２に接触させても、カッター刃３２はブレたり傾いたりしない。
【００３５】
このように、案内部８７と研削具７とによる位置関係によって、刃先３１ｂに沿った正確な刃先角が正確に決められ、この状態で、右側のカッター刃３２の目立てが行なわれる。
【００３６】
なお、目立て機１を用いて左右のカッター刃３１，３２の目立てを行なう場合、左右のカッター刃３１，３２を交互に目立てしてもよく、また、最初に左側の全てのカッター刃３１（又は右側のカッター刃３２）の目立てを行ない、その後で右側の全てのカッター刃３２（又は左側のカッター刃３１）の目立てを行なうようにしてもよい。
【産業上の利用可能性】
【００３７】
本発明のチェーンソーの目立て機は、チェーンソーに設けられているソーチェーンの刃先を研磨や研削による目立てをするもので、小型で使い易く、片手で持っている電動モータの向きを左右いずれかの水平方向に向きを合わせて前方に押し付けるだけで、正確な目立て角と刃先角に合わせたカッター刃の目立てができる。このため、ソーチェーンの目立てに経験のないユーザでも、上手に目立てができる。また、構造が簡単で故障し難い構造になっているので、低価格で消費者に提供でき、新規の需要だけでなく、従来品からの買い替えが期待できる。
【図１】
0004164524.tif 000002
【図２】
0004164524.tif 000003
【図３】
0004164524.tif 000004
【図４】
0004164524.tif 000005
【図５】
0004164524.tif 000006
【図６】
0004164524.tif 000007
【図７】
0004164524.tif 000008
【図８】
0004164524.tif 000009
【図９】
0004164524.tif 000010
【図１０】
0004164524.tif 000011
【図１１】
0004164524.tif 000012
【図１２】
0004164524.tif 000013